(57)【要約】【課題】種々のレンズタイプに適した制御を行うことが可能な中間アダプタを提供する。【解決手段】開口径を最大開口径から最小開口径まで変化可能な絞りと、絞りと連動し最大開口径に対応する第１位置と最小開口径に対応する第２位置との間を移動可能で且つ所定の付勢力により第２位置に付勢されている絞り連動部材と、を有する撮影レンズを着脱可能な第１マウント部と、第１マウント部とは別に設けられており、撮影が行える電源オン状態と撮影が行えない電源オフ状態とを有するカメラボディを着脱可能な第２マウント部と、第１マウント部に装着された撮影レンズ内の絞り連動部材を、付勢力に抗して第１位置と第２位置との間で移動可能な被駆動部材と、第２マウント部に装着されているカメラボディが電源オフ状態のとき、被駆動部材を、絞り連動部材に当接しない退避位置に駆動制御する駆動手段と、を有する中間アダプタ。【選択図】図１
2013003388.tif 000002
【特許請求の範囲】
【請求項１】
開口径を最大開口径から最小開口径まで変化可能な絞りと、前記絞りと連動し前記最大開口径に対応する第１位置と前記最小開口径に対応する第２位置との間を移動可能で且つ所定の付勢力により前記第２位置に付勢されている絞り連動部材と、を有する撮影レンズを着脱可能な第１マウント部と、
前記第１マウント部とは別に設けられており、撮影が行える電源オン状態と撮影が行えない電源オフ状態とを有するカメラボディを着脱可能な第２マウント部と、
前記第１マウント部に装着された前記撮影レンズ内の前記絞り連動部材を、前記付勢力に抗して前記第１位置と前記第２位置との間で移動可能な被駆動部材と、
前記第２マウント部に装着されている前記カメラボディが前記電源オフ状態のとき、前記被駆動部材を、前記絞り連動部材に当接しない退避位置に駆動制御する駆動手段と、
を有することを特徴とする中間アダプタ。
【請求項２】
請求項１に記載の中間アダプタにおいて、
前記駆動手段は、前記第２マウント部に装着されている前記カメラボディが前記電源オフ状態から前記電源オン状態に移行したときに、前記第１マウント部に装着されている前記撮影レンズの種類に応じて、前記被駆動部材の位置駆動制御を行うことを特徴とする中間アダプタ。
【請求項３】
請求項２に記載の中間アダプタにおいて、
前記第１マウント部は、前記最大開口径を表す開放絞り情報を外部に送信する送信手段を有する第１撮影レンズと、前記送信手段を有さない第２撮影レンズと、の一方を択一的に着脱可能であり、
前記第１撮影レンズから前記開放絞り情報を受信する開放絞り情報受信手段を備え、
前記駆動手段は、前記第２マウント部に装着された前記カメラボディが前記電源オン状態であり且つ前記第１マウント部に前記第１撮影レンズが装着されている場合には、前記絞り連動部材を前記第１位置と前記第２位置との間に位置せしめるよう前記被駆動部材を駆動制御し、前記第２マウント部に装着された前記カメラボディが前記電源オフ状態の場合または前記第１マウント部に前記第２撮影レンズが装着されている場合には、前記被駆動部材を前記退避位置に駆動制御することを特徴とする中間アダプタ。
【請求項４】
請求項３に記載の中間アダプタにおいて、
前記カメラボディから、前記被駆動部材の駆動指示を受信する駆動指示受信手段を有し、
前記駆動手段は、前記駆動指示受信手段により受信された前記駆動指示に対応する位置まで前記被駆動部材を駆動制御することを特徴とする中間アダプタ。
【請求項５】
請求項４に記載の中間アダプタにおいて、
前記第１マウント部に前記第１撮影レンズが装着されており且つ前記駆動指示受信手段により受信された前記駆動指示に絞り値が含まれる場合に、前記開放絞り情報受信手段により受信された前記開放絞り情報に対応する絞り値から前記駆動指示に含まれる絞り値までの絞り段数を演算する演算手段を更に備え、
前記駆動手段は、前記演算手段により演算された前記絞り段数に対応する距離だけ前記第１位置から離れた位置に前記被駆動部材を駆動制御することを特徴とする中間アダプタ。
【請求項６】
請求項４または５に記載の中間アダプタにおいて、
前記駆動手段は、前記第１マウント部に前記第１撮影レンズが装着されている場合で、且つ前記第２マウント部に装着された前記カメラボディが前記電源オン状態から前記電源オフ状態に移行するときに、前記被駆動部材を前記退避位置に駆動制御することを特徴とする中間アダプタ。
【請求項７】
請求項１〜６のいずれか一項に記載の中間アダプタにおいて、
前記被駆動部材は、前記絞り連動部材を前記第１位置から前記第２位置へ移動せしめる際に、第１対応位置から第２対応位置へ移動可能であり、
前記退避位置は、前記被駆動部材が前記第１対応位置から前記第２対応位置へ移動する方向における、前記第２対応位置を越えた位置に存在することを特徴とする中間アダプタ。
【発明の詳細な説明】
【技術分野】
【０００１】
本発明は、中間アダプタに関する。
【背景技術】
【０００２】
カメラボディに撮影レンズを装着するための中間アダプタが知られている。例えば特許文献１に記載の中間アダプタは、絞り開放側に付勢された絞り機構と作動レバーとを有する撮影レンズ（レンズ鏡筒）を装着可能に構成されており、初期設定処理において上記の作動レバーを開放位置へリセットする。カメラボディは露光動作の直前に、作動レバーを絞り込み方向に駆動するよう中間アダプタに指示する。
【先行技術文献】
【特許文献】
【０００３】
【特許文献１】特開平７−３３３６７４号公報
【発明の概要】
【発明が解決しようとする課題】
【０００４】
特許文献１に記載の中間アダプタでは、撮影レンズの作動レバーの制御が複雑になるという問題があった。
【課題を解決するための手段】
【０００５】
請求項１に係る発明は、開口径を最大開口径から最小開口径まで変化可能な絞りと、絞りと連動し最大開口径に対応する第１位置と最小開口径に対応する第２位置との間を移動可能で且つ所定の付勢力により第２位置に付勢されている絞り連動部材と、を有する撮影レンズを着脱可能な第１マウント部と、第１マウント部とは別に設けられており、撮影が行える電源オン状態と撮影が行えない電源オフ状態とを有するカメラボディを着脱可能な第２マウント部と、第１マウント部に装着された撮影レンズ内の絞り連動部材を、付勢力に抗して第１位置と第２位置との間で移動可能な被駆動部材と、第２マウント部に装着されているカメラボディが電源オフ状態のとき、被駆動部材を、絞り連動部材に当接しない退避位置に駆動制御する駆動手段と、を有することを特徴とする中間アダプタである。
【発明の効果】
【０００６】
本発明によれば、種々のレンズタイプに適した制御を行うことができる。
【図面の簡単な説明】
【０００７】
【図１】本発明の第１の実施の形態に係るカメラシステムの概略を示すブロック図である。
【図２】Ａタイプの撮影レンズ（交換レンズ）２０１およびＸタイプのカメラボディ１０１の構成を示すブロック図である。
【図３】Ｂタイプの撮影レンズ（交換レンズ）２０２およびＸタイプのカメラボディ１０１の構成を示すブロック図である。
【図４】Ｃタイプの撮影レンズ（交換レンズ）２０３およびＸタイプのカメラボディ１０１の構成を示すブロック図である。
【図５】Ｄタイプの撮影レンズ（交換レンズ）２０４およびＹタイプのカメラボディ１０２の構成を示すブロック図である。
【図６】中間アダプタ３０１を介してＹボディ１０２にＢレンズ２０２を装着した場合の全体構成を示すブロック図である。
【図７】絞り連動レバーの構造を示す模式図である。
【図８】図６に示すカメラシステムの電源オン時にＹボディ制御部３０において実行される処理のフローチャートである。
【図９】図６に示すカメラシステムの電源オン時にアダプタ制御部４０において実行される処理のフローチャートである。
【図１０】図９のステップＳ１１８で呼び出される、非ＣＰＵレンズ対応処理のフローチャートである。
【図１１】図６に示すカメラシステムの電源オフ時にＹボディ制御部３０において実行される処理のフローチャートである。
【図１２】図６に示すカメラシステムの電源オフ時にアダプタ制御部４０において実行される処理のフローチャートである。
【発明を実施するための形態】
【０００８】
（第１の実施の形態）
図１は、本発明の第１の実施の形態に係るカメラシステムの概略を示すブロック図である。このカメラシステムはレンズ交換式であり、Ｘタイプのカメラボディ１０１とＹタイプのカメラボディ１０２とが含まれる。Ｘタイプのカメラボディ１０１には、Ａタイプの撮影レンズ（交換レンズ、レンズ鏡筒）２０１と、Ｂタイプの撮影レンズ（交換レンズ、レンズ鏡筒）２０２と、Ｃタイプの撮影レンズ（交換レンズ、レンズ鏡筒）２０３とが着脱可能である。また、Ｙタイプのカメラボディ１０２には、Ｄタイプの撮影レンズ（交換レンズ、レンズ鏡筒）２０４が着脱可能である。
【０００９】
本カメラシステムには更に、中間アダプタ３０１が含まれている。この中間アダプタ３０１は、Ｘタイプのカメラボディ１０１に適合する３種類の撮影レンズ（Ａタイプの撮影レンズ２０１、Ｂタイプの撮影レンズ２０２、およびＣタイプの撮影レンズ２０３）をＹタイプのカメラボディ１０２に取り付けるためのものである。例えばＸタイプのカメラボディ１０１およびＡタイプの撮影レンズ２０１を所有していたユーザが、新たにＹタイプのカメラボディ１０２を購入したとき、中間アダプタ３０１を用いることにより、これまで利用していたＡタイプの撮影レンズ２０１をＹタイプのカメラボディ１０２において引き続き利用することが可能になる。以下、これらの各構成要素について順に説明する。
【００１０】
なお、以下の説明において、図１に示したＸタイプのカメラボディ１０１を、Ｘボディ１０１と表記する。同様に、Ｙタイプのカメラボディ１０２をＹボディ１０２、Ａタイプの撮影レンズ２０１をＡレンズ２０１、Ｂタイプの撮影レンズ２０２をＢレンズ２０２、Ｃタイプの撮影レンズ２０３をＣレンズ２０３、Ｄタイプの撮影レンズ２０４をＤレンズ２０４とそれぞれ表記する。
【００１１】
（Ａタイプの撮影レンズ２０１およびＸタイプのカメラボディ１０１の説明）
図２は、Ａタイプの撮影レンズ２０１およびＸタイプのカメラボディ１０１の構成を示すブロック図である。なお、図２では本発明の説明に必要な部材のみを図示しており、それ以外の部材については図示および説明を省略する。以下の各図についても同様である。
【００１２】
Ａレンズ２０１は、例えばバヨネット式のレンズマウントであるレンズ側マウント部８１により、Ｘボディ１０１のボディ側マウント部８２に着脱可能な撮影レンズである。Ａレンズ２０１は、光学系（不図示）への入射光量を調節する虹彩絞り１０と、環状の操作部材である操作環１１と、レンズ側マウント部８１の近傍に設けられたレンズ側絞り連動部１２とを有する。虹彩絞り１０は所定の最大開口径（例えばＦ２）から最小開口径（例えばＦ１６）まで、開口径を変化可能に構成されている。
【００１３】
虹彩絞り１０の開口径はレンズ側絞り連動部１２が有するレンズ側絞り連動レバーの位置に連動している。レンズ側絞り連動レバーには、最大開口径に対応する第１位置と最小開口径に対応する第２位置とが存在し、レンズ側絞り連動レバーは第１位置と第２位置との間を移動可能に構成されている。レンズ側絞り連動レバーはＡレンズ２０１内に設けられているバネ等による所定の付勢力により、最小開口径に対応する第２位置に向けて（絞り込み側に）付勢されている。すなわち、レンズ側絞り連動レバーに外部から力が加えられていない場合、レンズ側絞り連動レバーは第２位置にあり、虹彩絞り１０の開口径は最小開口径となる。
【００１４】
操作環１１はユーザによる回転操作が可能な操作部材であり、虹彩絞り１０に接続されている。操作環１１の回転位置を変化させると、レンズ側絞り連動レバーの位置変化による虹彩絞り１０の開口径の変化が、上述した最小開口径よりも手前（最小開口径より大きな開口径）で停止するようになる。例えば虹彩絞り１０の最大開口径がＦ２であり、最小開口径がＦ１６である場合に、操作環１１の回転位置がＦ４に対応する位置であった場合、レンズ側絞り連動レバーを上述した第２位置（最小開口径に対応する位置）まで移動させても、虹彩絞り１０の開口径はＦ４に相当する開口径から小さくならない。このように、操作環１１は、虹彩絞り１０の開口径の下限（絞り値の上限）を設定する役割を果たす。
【００１５】
Ｘボディ１０１は、Ｘボディ１０１の各部を制御するＸボディ制御部２０を備える。Ｘボディ制御部２０はマイクロプロセッサおよびその周辺回路から成り、不図示の記憶媒体に記憶されている所定の制御プログラムを読み込んで実行することにより、Ｘボディ１０１の各部を制御する。なお、Ｘボディ制御部２０を、同様の制御を行う電子回路として構成することも可能である。
【００１６】
Ｘボディ制御部２０には、表示部２７とモード設定部２８とが接続されている。表示部２７は例えば液晶ディスプレイなどの表示装置であり、Ｘボディ制御部２０の指示に従って画像や文字などを画面に表示する。モード入力部２８は例えばボタンやタッチパネル、モードダイヤルなどの入力装置により構成され、少なくともＸボディ１０１の露出制御モード（プログラムオートモード、絞り優先オートモード、シャッタースピード優先オートモード、およびマニュアルモード）を入力可能に構成される。Ｘボディ制御部２０は、不図示の測光センサ等の入力と、モード入力部２８に入力された露出制御モードとに基づいて、Ｘボディ１０１の露出制御を行う。
【００１７】
マニュアルモードはシャッタースピードおよび絞り値を、共にユーザが指定するモードである。シャッタースピード優先オートモードは、シャッタースピードはユーザが指定し、絞り値はＸボディ制御部２０が自動設定するモードである。絞り優先オートモードは、絞り値はユーザが指定し、シャッタースピードはＸボディ制御部２０が自動設定するモードである。プログラムオートモードは、Ｘボディ制御部２０がシャッタースピードおよび絞り値を自動的に設定するモードである。
【００１８】
Ｘボディ１０１は、ボディ側絞り連動部２２、最小絞り検知部２３、ボディ内モーター２４、ボディ内モーター制御部２５、およびＸＢタイプ通信接点群２６を有している。Ｘボディ制御部２０はこれらの各部を用いて露出制御を行う。
【００１９】
ＸＢタイプ通信接点群２６は、ボディ側マウント部８２の近傍に設けられた複数の電気接点である。Ｘボディ制御部２０はＸＢタイプ通信接点群２６を介して、Ｘボディ１０１に装着された撮影レンズへの電力供給と、Ｘボディ１０１に装着された撮影レンズとのデータ通信と、を行う。なお、図２に示したＡレンズ２０１は、ＸＢタイプ通信接点群２６に対応する通信接点を持たないので、Ｘボディ１０１との間でデータ通信を行うことはできない。
【００２０】
最小絞り検知部２３は、ボディ側マウント部８２の近傍に設けられ、撮影レンズの操作環１１が最小絞りに設定されていることを検知する部材である。最小絞り検知部２３に対応する部材が撮影レンズに設けられている場合、最小絞り検知部２３は、操作環１１が最小絞りに設定されていることを検知することができる。なお、図２に示したＡレンズ２０１は、最小絞り検知部２３に対応する部材を持たない。従って、最小絞り検知部２３は、操作環１１が最小絞りに設定されていることを検知することができない。
【００２１】
ボディ側絞り連動部２２は、ボディ側マウント部８２の近傍に設けられたボディ側絞り連動レバーを有している。ボディ側絞り連動レバーは、レンズ側絞り連動部１２のレンズ側絞り連動レバーを、前述の付勢力に抗して第２位置（最小開口径に対応）から第１位置（最大開口径に対応）まで移動させることが可能である。撮影を行う時（撮影シーケンスの実行時）を除き、ボディ側絞り連動レバーはレンズ側絞り連動レバーを第１位置（最大開口径に対応）まで移動させる位置に保持（ボディ内モータ２４との係合による固定保持）されている。従って、Ａレンズ２０１をＸボディ１０１に取り付けると、虹彩絞り１０の開口径は最大開口径になる。
【００２２】
Ｘボディ１０１は撮影を行える電源オン状態と撮影を行えない電源オフ状態とを有している。ユーザは不図示の電源スイッチ等により、Ｘボディ１０１の電源をオンオフすることができる。
【００２３】
撮影を行う時（電源オン状態で且つユーザが不図示のレリーズボタン等により撮影を指示した時）、Ｘボディ制御部２０は、ボディ内モーター制御部２５に、ボディ側絞り連動レバーを第２位置（最小開口径に対応）まで駆動するよう指示する。この指示を受けたボディ内モーター制御部２５は、ボディ側絞り連動レバーに接続されたボディ内モーター２４を駆動し、ボディ側絞り連動レバーを第２位置に移動させる。これにより、レンズ側絞り駆動レバーは予め付勢された方向（開口径が小さくなる方向）に移動し、虹彩絞り１０の開口径は操作環１１で設定された下限の大きさに変化する。Ａレンズ２０１およびＸボディ１０１は以上のように構成されているので、撮影を行わない時には虹彩絞り１０の開口径は最大開口径（開放絞り）となり、撮影を行う時には操作環１１で設定された大きさとなる。
【００２４】
Ａレンズ２０１を用いて撮影を行う場合、ユーザは露出制御モードとして絞り優先オートモードおよびマニュアルモードのいずれかを選択可能である。なお、プログラムオートモードやシャッタースピード優先オートモードを選択できないのは、Ｘボディ制御部２０が開放Ｆ値を知ることができないので、虹彩絞り１０を任意の絞り径に設定することができないためである。他方、絞り優先オートモードやマニュアルモードでは、撮影時の虹彩絞り１０の絞り径を、ユーザが操作環１１により指定した値とすればよいので、Ａレンズ２０１を使用する場合でも問題は生じない。つまりＸボディ制御部２０は、撮影時にはレンズ側絞り連動レバーを第２位置（最小絞り径に対応）まで移動させればよく、虹彩絞り１０を任意の絞り径に設定する必要がない。
【００２５】
Ｘボディ制御部２０は、Ａレンズ２０１が装着されると、まずＸＢタイプ通信接点群２６を介したデータ通信を試みる。しかし、Ａレンズ２０１はＸＢタイプ通信接点群２６に対応するデータ通信用の接点が存在しないため、データ通信を行うことができない。Ｘボディ制御部２０は、データ通信ができなかった場合、データ通信に対応しないＡレンズ２０１が装着されたと判断し、露出制御モードを絞り優先モードおよびマニュアルモードから選択可能にする。
【００２６】
絞り優先モードが選択されている場合、Ｘボディ制御部２０は、ユーザにより指定されたＦ値や測光結果などに基づいてシャッタースピードを自動的に設定して撮影を行う。他方、マニュアルモードが設定されている場合には、ユーザは撮影時の絞り径を操作環１１により設定し、シャッタースピードをＸボディ１０１に設けられた不図示の操作部材（タッチパネル、ボタン、シャッタースピード設定ダイヤルなど）により設定する。
【００２７】
（Ｂタイプの撮影レンズ２０２の説明）
図３は、Ｂタイプの撮影レンズ２０２およびＸタイプのカメラボディ１０１の構成を示すブロック図である。Ｂレンズ２０２はＡレンズ２０１が有する各部に加えて、最小絞り連動部１３と、記憶部１４と、Ｂレンズ制御部１５ｂと、ＸＬタイプ通信接点群１６とを有している。
【００２８】
最小絞り連動部１３は操作環１１に連動し、操作環１１が最小開口径（最も大きなＦ値）に設定されているか否かをボディ側の最小絞り検知部２３に通知する。例えば操作環１１に突起を設け、最小開口径（最大Ｆ値）に設定された場合に突起が所定位置になるようにしておく。そしてボディ側の最小絞り検知部２３に、この所定位置に対応するボタンを設けておけば、操作環１１が最小開口径（最大Ｆ値）に設定された場合に上記の突起がこのボタンを押下し、最小絞り検知部２３は最小開口径（最大Ｆ値）に設定されたことを検知することができる。
【００２９】
記憶部１４は例えばフラッシュメモリなどの記憶媒体であり、Ｂレンズ２０２に関する種々の情報を含むレンズデータが予め記憶されている。レンズデータには、例えばＢレンズ２０２の製品名や不図示の光学系の光学特性、虹彩絞り１０の開放絞り値情報（最大開口径、最小Ｆ値）、操作環１１の有無などのデータが含まれている。
【００３０】
ＸＬタイプ通信接点群１６は、Ｘボディ１０１のＸＢタイプ通信接点群２６と対応するように、レンズ側マウント部８１の近傍に設けられた電気接点である。Ｂレンズ２０２をＸボディ１０１に取り付けると、レンズ側のＸＬタイプ通信接点群１６とボディ側のＸＢタイプ通信接点群２６とが電気的に接続され、データ通信が行えるようになる。Ｂレンズ制御部１５ｂはＸＬタイプ通信接点群１６を介してＸボディ１０１内のＸボディ制御部２０とデータ通信を行う。例えば、Ｘボディ制御部２０からの要求に応じて記憶部１４からレンズデータを読み出し、Ｘボディ制御部２０に送信する。
【００３１】
Ｘボディ制御部２０は、Ｂレンズ２０２が装着されると、まずＸＢタイプ通信接点群２６を介したデータ通信を試みる。Ｂレンズ２０２内のＢレンズ制御部１５ｂはこのデータ通信に応じて記憶部１４に記憶されているレンズ情報（既述の開放絞り値情報を含む）をＸボディ制御部２０に送信する。Ｘボディ制御部２０はレンズ情報を受けとり、現在装着されているＢレンズ２０２がＣＰＵ（Ｂレンズ制御部１５ｂ）を有しデータ通信可能な撮影レンズであることを認識する。
【００３２】
Ｂレンズ２０２を用いて撮影を行う場合、操作環１１は最小開口径（最大Ｆ値）に設定されている必要がある。これは、操作環１１がこれ以外の位置に設定されている場合、Ｘボディ１０１側から制御することができる虹彩絞り１０の開口径の範囲が限定されてしまうためである。
【００３３】
例えば虹彩絞り１０がＦ２（最大開口径）からＦ１６（最小開口径）まで開口径を変化可能な場合において、操作環１１がＦ４の位置に設定されていたとすれば、Ｘボディ制御部２０がボディ側絞り連動部２２のボディ側絞り連動レバーをどのように移動させても、虹彩絞り１０はＦ４を超えるＦ値（Ｆ４に相当する開口径より小さい開口径）に設定されることがない。従って、Ｘボディ１０１が撮影時に虹彩絞り１０をユーザにより指定されたＦ値（絞り優先オートモードおよびマニュアルモードの場合）やＸボディ制御部２０により演算されたＦ値（プログラムオートモードおよびシャッタースピード優先オートモードの場合）に制御することができない可能性がある。つまり、撮影時の虹彩絞り１０の開口径が意図しない大きさになってしまう可能性があり、適正な撮影結果が得られなくなってしまう。
【００３４】
そこでＸボディ制御部２０は、Ｂレンズ２０２が取り付けられている場合、最小絞り検知部２３により操作環１１が最小開口径（最大Ｆ値）に設定されているか否かを検知する。そして、最小開口径（最大Ｆ値）に設定されていなかった場合には、例えば表示部２７に「レンズの絞り環を最小絞りに設定してください」などの警告メッセージを表示してユーザに注意を促す。また、不図示のレリーズボタンが押下されても撮影を行わなくするなど、撮影を禁止する動作を採用してもよい。
【００３５】
（Ｃタイプの撮影レンズ２０３の説明）
図４は、Ｃタイプの撮影レンズ２０３およびＸタイプのカメラボディ１０１の構成を示すブロック図である。Ｃレンズ２０３はＢレンズ２０２とは異なり、操作環１１および最小絞り連動部１３を有していない。つまり、Ｃレンズ２０３には、ユーザが虹彩絞り１０の開口径を指定するための操作部材が設けられていない。
【００３６】
Ｘボディ制御部２０は、Ｃレンズ２０３が装着されると、まずＸＢタイプ通信接点群２６を介したデータ通信を試み、Ｃレンズ制御部１５ｃからレンズデータを受信する。そして、受信したレンズデータからＣレンズ２０３が操作環１１を備えていないことを認識する。Ｃレンズ２０３は操作環１１を備えていないので、Ｘボディ制御部２０は最小絞り検知部２３により操作環１１が最小開口径（最大Ｆ値）に設定されているか否かを検知する必要がない。露出制御の内容についてはＢレンズ２０２と同様である。
【００３７】
（Ｄタイプの撮影レンズ２０４およびＹタイプのカメラボディ１０２の説明）
図５は、Ｄタイプの撮影レンズ２０４およびＹタイプのカメラボディ１０２の構成を示すブロック図である。Ｄレンズ２０４はこれまで説明してきた３種類の撮影レンズ（Ａレンズ２０１、Ｂレンズ２０２、およびＣレンズ２０３）とは大きく異なる構成を有する。具体的には、Ｄレンズ２０４は他の撮影レンズと同様に虹彩絞り１０を有するが、その駆動にはＤレンズ２０４に内蔵されているレンズ内モーター１８が用いられる。つまり、Ｄレンズ２０４とＹボディ１０２との間には絞り連動レバー等が存在せず、Ｙボディ１０２は絞り連動レバーを駆動するためのモーターを有していない。レンズ内モーター１８は、レンズ内モーター制御部１９により制御される。
【００３８】
Ｄレンズ２０４は、Ｃレンズ２０３と同様に記憶部１４およびＤレンズ制御部１５ｄを有する。Ｄレンズ制御部１５ｄはＣレンズ制御部１５ｃと同様に、記憶部１４からレンズデータを読み出してＹボディ１０２に送信する等のデータ通信を行ったり、Ｄレンズ２０４の各部の制御を行ったりする。Ｄレンズ２０４のレンズ側マウント部８３の近傍にはＹＬタイプ通信接点群１７が配置されており、Ｄレンズ制御部１５ｄはこのＹＬタイプ通信接点群１７を介してＹボディ１０２とデータ通信を行う。
【００３９】
Ｙボディ１０２はカメラボディ全体を制御するＹボディ制御部３０と、モード設定部３８および表示部３９とを有する。モード設定部３８はＸボディ１０１のモード設定部２８と同様であり、表示部３９はＸボディ１０１の表示部２７と同様であるので、説明を省略する。また、Ｙボディ１０２が撮影を行える電源オン状態と撮影を行えない電源オフ状態とを有することや、ユーザが不図示の電源スイッチ等によりＹボディ１０２の電源をオンオフすることができることについても、Ｘボディ１０１と同様である。
【００４０】
Ｙボディ１０２のマウント面近傍には、Ｄレンズ２０４のＹＬタイプ通信接点群１７に対応する、ＹＢタイプ通信接点群３７が設けられている。Ｙボディ制御部３０はＹＢタイプ通信接点群３７を介して、Ｄレンズ２０４のＤレンズ制御部１５ｄとデータ通信を行う。
【００４１】
Ｘボディ１０１は撮影を行える電源オン状態と撮影を行えない電源オフ状態とを有している。ユーザは不図示の電源スイッチ等により、Ｘボディ１０１の電源をオンオフすることができる。
【００４２】
図５に示すＤレンズ２０４およびＹボディ１０２の構成における、Ｙボディ制御部３０による露出制御（虹彩絞り１０の開口径の制御）について説明する。Ｘボディ制御部２０は、ボディ内モーター制御部２５にボディ内モーター２４を駆動させることにより、虹彩絞り１０の開口径を制御していた。これに対し、Ｙボディ制御部３０は、虹彩絞り１０の駆動コマンドをＹＢタイプ通信接点群３７を介してＤレンズ２０４のＤレンズ制御部１５ｄに送信することにより、虹彩絞り１０の開口径を制御する。この駆動コマンドには、虹彩絞り１０に設定されるべき絞り値が含まれている。Ｄレンズ制御部１５ｄは、駆動コマンドを受信すると、虹彩絞り１０の開口径を指定された大きさにするために必要なレンズ内モーター１８の駆動量を演算し、その駆動量だけレンズ内モーター１８が駆動されるようにレンズ内モーター制御部１９を制御する。レンズ内モーター制御部１９はこの制御に応じてレンズ内モーター１８を駆動する。
【００４３】
（中間アダプタ３０１の説明）
前述の通り、Ｘボディ１０１向けに構成されているＡレンズ２０１、Ｂレンズ２０２、およびＣレンズ２０３は、Ｙボディ１０２に適合するＤレンズ２０４とは異なる構成となっている。以下では、これら３種類の撮影レンズをＹボディ１０２に装着するための中間アダプタについて説明する。
【００４４】
図６は、中間アダプタ３０１を介してＹボディ１０２にＢレンズ２０２を装着した場合の全体構成を示すブロック図である。中間アダプタ３０１は、Ｘボディ１０１向けの３種の撮影レンズ（Ａレンズ２０１、Ｂレンズ２０２、およびＣレンズ２０３）を着脱可能な第１マウント部８５と、Ｙボディ１０２を着脱可能な第２マウント部８６とを有している。第１マウント部８５はＸボディ１０１のボディ側マウント部８２と略同一の構造となっており、第２マウント部８６はＤレンズ２０４のレンズ側マウント部８３と略同一の構造となっている。
【００４５】
中間アダプタ３０１は、アダプタ側絞り連動部４２と、アダプタ内モーター４４と、アダプタ内モーター制御部４５と、Ｘボディ１０１が備えるものと同様の最小絞り検知部２３およびＸＢタイプ通信接点群２６と、Ｄレンズ２０４が備えるものと同様のＹＬタイプ通信接点群１７とを有する。なお、アダプタ内モーター４４はＸボディ１０１のボディ内モーター２４と、アダプタ内モーター制御部４５はＸボディ１０１のボディ内モーター制御部２５と、それぞれ同様の構成であるため、説明を省略する。
【００４６】
中間アダプタ３０１の第１マウント部８５（Ｂレンズ２０２側）の近傍には、アダプタ側絞り連動部４２（ボディ側絞り連動部２２に相当）、最小絞り検知部２３、およびＸＢタイプ通信接点群２６が、Ｘボディ１０１のボディ側マウント部８２の近傍と同様に配置されている。また、中間アダプタ３０１の第２マウント部８６（Ｙボディ１０２側）の近傍には、ＹＬタイプ通信接点群１７が、Ｄレンズ２０４のレンズ側マウント部８３と同様に配置されている。
【００４７】
最小絞り検知部２３、アダプタ内モーター制御部４５、ＸＢタイプ通信接点群２６、およびＹＬタイプ通信接点群１７は、これらの各部を制御するアダプタ制御部４０に接続されている。
【００４８】
アダプタ側絞り連動部４２が有するアダプタ側絞り連動レバーは、Ｘボディ１０１のボディ側絞り連動レバーとは異なり、レンズ側絞り連動レバーを第１位置（最大開口径に対応）まで移動させるような位置に保持されていない。代わりに、アダプタ側絞り連動レバーは、レンズ側絞り連動レバーに当接しない退避位置（図７にて後述）に保持（アダプタ内モーター４４との係合による固定保持）されている。
【００４９】
Ｙボディ１０２の電源がオンされると、Ｙボディ制御部３０は、中間アダプタ３０１にレンズデータを要求する。アダプタ制御部４０は第１マウント部８５に装着されている撮影レンズ（図６ではＢレンズ２０２）とのデータ通信を試み、その撮影レンズのレンズデータを受信しようとする。図６に示すようにＢレンズ２０２が装着されている場合、記憶部１４に記憶されているレンズデータ（虹彩絞り１０の最大開口径を表す開放絞り情報を含む）がＢレンズ制御部１５ｂにより読み出され、アダプタ制御部４０に向けて送信される。アダプタ制御部４０は受信したレンズデータをＹボディ制御部３０に送信すると共に、アダプタ内モーター制御部４５を制御してアダプタ側絞り連動レバーを所定の初期位置（第１位置と第２位置との間）に駆動させる。
【００５０】
Ｙボディ制御部３０が虹彩絞り１０の開口径を制御する手順は、図５に示すＤレンズ２０４およびＹボディ１０２の構成と同様である。すなわち、Ｙボディ制御部３０は、虹彩絞り１０の駆動コマンドをＹＢタイプ通信接点群３７を介して中間アダプタ３０１のアダプタ制御部４０に送信することにより、虹彩絞り１０の開口径を制御する。アダプタ制御部４０は、この駆動コマンドを受信すると、レンズデータに含まれる開放絞り情報に基づいて、開放絞りから駆動コマンドにより指定された開口径までの絞り段数を演算する。そしてアダプタ制御部４０は、その絞り段数に対応する距離だけ第１位置から離れた位置にアダプタ側絞り連動レバーが駆動されるようにアダプタ内モーター制御部４５を制御する。アダプタ内モーター制御部４５はこれに応じて、アダプタ側絞り連動レバーの位置駆動制御を行う。
【００５１】
また、Ｙボディ１０２の電源がオフされると、アダプタ制御部４０はアダプタ側絞り連動レバーがレンズ側絞り連動レバーに当接しない退避位置まで駆動されるように、アダプタ内モーター制御部４５を制御する。アダプタ内モーター制御部４５はこれに応じて、アダプタ側絞り連動レバーの位置駆動制御を行う。このように、アダプタ内モーター制御部４５は、第２マウント部８６に装着されたＹボディ１０２が電源オン状態から電源オフ時に移行するときに、アダプタ側絞り連動レバーをレンズ側絞り連動レバーに当接しない退避位置に駆動制御する。
【００５２】
一方、中間アダプタ３０１に、記憶部１４やＸＬタイプ通信接点群１６を持たないＡレンズ２０１が装着された場合、中間アダプタ３０１のアダプタ制御部４０はＹボディ１０２に、露出制御モードをシャッタースピード優先オートモードとマニュアルモードに制限するよう指示する。これは、このような撮影レンズが装着された場合には、虹彩絞り１０の最大開口径（開放絞り値、最小Ｆ値）がわからないため、アダプタ側絞り連動レバーをどれだけ動かせば虹彩絞り１０を目的の開口径に設定することができるかがわからないためである。この場合（Ａレンズ２０１が装着された場合）、アダプタ制御部４０は、電源オン時であっても、アダプタ側絞り連動レバーをレンズ側絞り連動レバーに当接しない退避位置に保持し続ける。つまり、Ａレンズ２０１が装着されている場合、アダプタ側絞り連動レバーは、電源オン状態でも電源オフ状態でも、常に退避位置に保たれる。ユーザはＡレンズ２０１を使用する場合、撮影絞り値をＡレンズ２０１の操作環１１により設定する。
【００５３】
（絞り連動レバーの説明）
図７（ａ）は、Ａレンズ２０１、Ｂレンズ２０２、およびＣレンズ２０３が有するレンズ側絞り連動部１２をカメラボディ側から見た様子を示す模式図である。図７（ａ）の例ではレンズ側絞り連動レバー５１が、破線で示す第１位置（開放絞りに対応）から実線で示す第２位置（最小絞りに対応）まで、絞り径を開放から１Ａｖ、２Ａｖ、…、７Ａｖまで、８段分だけ変化可能に構成されている。
【００５４】
レンズ側絞り連動レバー５１の開放位置と、開放位置から所望の絞り径にするために必要な距離は、Ｘボディ１０１および中間アダプタ３０１に装着可能などの撮影レンズについても同一となっている。従って、Ｘボディ制御部２０およびアダプタ制御部４０は、撮影レンズの開放絞り値（レンズデータに含まれる）が既知であれば、そこから任意の絞り値までの絞り段数を演算し、その絞り段数に対応する距離だけ第１位置（開放絞りに対応）から離れた位置にボディ側絞り連動レバーまたはアダプタ側絞り連動レバーを駆動させることにより、虹彩絞り１０を任意の開口径に制御することができる。
【００５５】
なお、Ｘボディ１０１および中間アダプタ３０１に取り付け可能な撮影レンズに、図７に示した例よりも少ない段数だけ絞り径を変化可能なものが含まれていてもよい。例えば絞り径が６Ａｖまで変化し、７Ａｖの位置までレンズ側絞り連動レバー５１を移動させた場合であっても実際の絞り径が６Ａｖの状態から変化しない撮影レンズが存在してもよい。あるいは、レンズ側絞り連動レバー５１が、６Ａｖの位置までしか移動しない撮影レンズが存在してもよい。
【００５６】
図７（ｂ）は、ボディ側絞り連動部２２を撮影レンズ側から見た様子を示す模式図である。図７（ｂ）の例ではボディ側絞り連動レバー５２が、破線で示す位置（レンズ側絞り連動レバー５１の第１位置に対応）から実線で示す位置（レンズ側絞り連動レバー５１の第２位置に対応）まで駆動可能に構成されている。
【００５７】
図７（ｃ）は、Ａレンズ２０１、Ｂレンズ２０２、およびＣレンズ２０３のうちいずれかの撮影レンズをＸボディ１０１に装着したときの、ボディ側絞り連動レバー５２とレンズ側絞り連動レバー５１との位置関係を側面から見た模式図である。ボディ側絞り連動レバー５２の移動範囲Ｒ２は、レンズ側絞り連動レバー５１の移動範囲Ｒ１に対応している。つまり、ボディ側絞り連動レバー５２が最下部にあるとき、レンズ側絞り連動レバー５１は前述の所定の付勢力により最小絞り位置（図７（ａ）の７Ａｖの位置）に付勢される。また、ボディ側絞り連動レバー５２が最上部に移動すると、レンズ側絞り連動レバー５１は開放絞り位置に移動される。
【００５８】
図７（ｄ）は、中間アダプタ３０１のアダプタ側絞り連動部４２を撮影レンズ側から見た様子を示す模式図であり、図７（ｅ）は、Ａレンズ２０１、Ｂレンズ２０２、およびＣレンズ２０３のうちいずれかの撮影レンズを中間アダプタ３０１に装着したときの、アダプタ側絞り連動レバー５３とレンズ側絞り連動レバー５１との位置関係を側面から見た模式図である。アダプタ側絞り連動レバー５３の移動範囲Ｒ３は、ボディ側絞り連動レバー５２の移動範囲Ｒ２よりも図７（ｅ）中の下方向に大きく（長く）なっている。つまり、アダプタ側絞り連動レバー５３が最下部にあるとき、レンズ側絞り連動レバー５１は前述の所定の付勢力によって最小絞り位置（図７（ａ）の７Ａｖの位置）に付勢されるが、このときアダプタ側絞り連動レバー５３はレンズ側絞り連動レバー５１に当接しない。前述の通り、レンズ側絞り連動レバー５１に当接しないアダプタ側絞り連動レバー５３の位置を退避位置と称する。図７（ｅ）では、アダプタ側絞り連動レバー５３の移動範囲Ｒ３のうち、範囲Ｒ４がアダプタ側絞り連動レバー５３の退避位置である。
【００５９】
換言すれば、アダプタ側絞り連動レバー５３は、レンズ側絞り連動レバー５１を前述の第１位置（開放絞り＝最小Ｆ値に対応）から第２位置（最小絞り＝最大Ｆ値に対応）へ移動させる際に、第１位置に対応する第１対応位置から、第２位置に対応する第２対応位置へ移動可能である。そして上述の退避位置とは、アダプタ側絞り連動レバー５３がその第１対応位置から第２対応位置へ移動する方向（絞りを絞り込む方向）において、その第２対応位置を越えた（絞込み側に越えた）範囲Ｒ４内の何れかの位置である。つまり、退避位置はレンズ側絞り連動レバー５１に当接しない位置であればよく、必ずしもアダプタ側絞り連動レバー５３の移動範囲Ｒ３の最下部でなくてよい。
【００６０】
（電源オン処理の説明）
図８は、図６に示すカメラシステムの電源オン時にＹボディ制御部３０において実行される処理のフローチャートである。ユーザがＹボディ１０２に設けられた電源スイッチ（不図示）をオンすると、Ｙボディ１０２は電源オフ状態から電源オン状態に移行し、Ｙボディ制御部３０が図８に示す処理の実行を開始する。まずステップＳ１００においてＹボディ制御部３０が制御系電源をオンする。これにより、Ｙボディ１０２からＹボディ１０２に装着されている撮影レンズや中間アダプタ３０１に対して、ＹＢタイプ通信接点群３７を介した制御系電源の供給が開始される。ここで制御系電源とは、モーターなどの大電流を消費する回路を除く各回路を動作させるための電源である。図６では、この制御系電源はアダプタ内モーター４４を除く各部に供給される。
【００６１】
ステップＳ１０１ではＹボディ制御部３０が、ＹＢタイプ通信接点群３７を介したデータ通信を試み、ボディ側マウント部８４にＤレンズ２０４および中間アダプタ３０１のいずれかが装着されているか否かを判定する。Ｄレンズ２０４や中間アダプタ３０１が装着されていた場合にはステップＳ１０２に進み、Ｙボディ制御部３０がパワー系電源をオンする。これにより、ボディ側マウント部８４に装着されているＤレンズ２０４や中間アダプタ３０１に対して、Ｙボディ１０２からＹＢタイプ通信接点群３７を介したパワー系電源の供給が開始される。ここでパワー系電源とは、モーターなどの大電流を消費する回路を動作させるための電源である。図６に示す構成の場合、このパワー系電源はアダプタ内モーター４４に供給される。
【００６２】
ステップＳ１０３ではＹボディ制御部３０が、ボディ側マウント部８４に装着されたＤレンズ２０４や中間アダプタ３０１に対して、所定の初期化コマンドを送信する。この初期化コマンドを受信したＤレンズ２０４のＤレンズ制御部１５ｄや中間アダプタ３０１のアダプタ制御部４０は、それぞれＤレンズ２０４や中間アダプタ３０１の初期化を開始し、撮影可能な状態へと遷移する。これにより、Ｙボディ１０２を用いた撮影が可能となる。
【００６３】
他方、ステップＳ１０１において、Ｙボディ制御部３０がボディ側マウント部８４にＤレンズ２０４や中間アダプタ３０１が装着されていないと判定した場合にはステップＳ１０４に進み、Ｙボディ制御部３０により所定のレンズ非装着処理が実行される。レンズ非装着処理は、例えば表示部３９に警告メッセージを表示する等、ユーザに撮影不可能であることを報知する処理である。
【００６４】
図９は、Ｙボディ１０２が電源オフ状態から電源オン状態に移行したときに、Ｙボディ１０２に装着された中間アダプタ３０１のアダプタ制御部４０により実行される処理のフローチャートである。まずステップＳ１１０ではアダプタ制御部４０が、Ｙボディ１０２から送電される制御系電源の受電を開始する。ステップＳ１１１ではアダプタ内モーター４４が、Ｙボディ１０２から送電されるパワー系電源の受電を開始する。ステップＳ１１２ではアダプタ制御部４０が、Ｙボディ１０２から初期化コマンドを受信したか否かを判定する。アダプタ制御部４０は初期化コマンドを受信するまでステップＳ１１２に留まり、初期化コマンドを受信するとステップＳ１１３に進む。
【００６５】
ステップＳ１１３ではアダプタ制御部４０が、第１マウント部８５に撮影レンズ（Ａタイプ〜Ｃタイプ）が装着されているか否かを判定する。撮影レンズが装着されている場合はステップＳ１１４に進む。ステップＳ１１４ではアダプタ制御部４０が、第１マウント部８５に装着されている撮影レンズが制御部（ＣＰＵ）を内蔵しているか否かを判定する。すなわち、第１マウント部８５に（Ａレンズ２０１ではなく）Ｂレンズ２０２またはＣレンズ２０３のいずれかが取り付けられているか否かを判定する。Ｂレンズ２０２またはＣレンズ２０３のいずれかが装着されている場合にはステップＳ１１５に進む。他方、Ａレンズ２０１が装着されている場合にはステップＳ１１８に進み、後述する非ＣＰＵ（ｎｏｎ−ＣＰＵ）レンズ対応処理を実行する。
【００６６】
ステップＳ１１５ではアダプタ制御部４０が、ＸＢタイプ通信接点群２６を介して第１マウント部８５に装着された撮影レンズとデータ通信を行い、撮影レンズの記憶部１４に記憶されているレンズデータを取得する。前述の通り、このレンズデータには絞り制御に必要な絞り情報（既述の開放絞り値情報を含む）が含まれている。ステップＳ１１６ではアダプタ制御部４０が、アダプタ側絞り連動レバー５３の初期化処理を実行する。アダプタ側絞り連動レバー５３の初期化処理は例えば、アダプタ側絞り連動レバー５３をいったん開放絞り（最大開口径）の位置まで駆動し、この位置を絞り制御の基準位置とする処理である。
【００６７】
なお、アダプタ側絞り連動レバー５３の初期化処理の開始時にアダプタ側絞り連動レバー５３が退避位置になかった場合、アダプタ制御部４０はアダプタ側絞り連動レバー５３をいったん退避位置まで駆動させ、その後、アダプタ側絞り連動レバー５３を開放絞りの位置まで駆動する。
【００６８】
ステップＳ１１６が完了すると、アダプタ制御部４０はＹボディ１０２から送信される、絞りを制御するための絞り制御コマンドを受け付けるようになる。Ｙボディ制御部３０が絞り制御コマンドをアダプタ制御部４０に送信すると、アダプタ制御部４０は絞り制御コマンドに含まれる絞り値（例えば撮影絞り値）に基づいて、レンズ側絞り連動レバー５１が第１位置と第２位置との間（例えば撮影絞り値に対応する位置）に位置するようアダプタ側絞り連動レバー５３を駆動させる。なお、絞り制御コマンドには絞り値ではなく、虹彩絞り１０の開口径や駆動量が含まれるようにしてもよい。
【００６９】
図１０は、アダプタ制御部４０において実行される処理であって、図９のステップＳ１１８で呼び出される、非ＣＰＵ（ｎｏｎ−ＣＰＵ）レンズ対応処理のフローチャートである。ステップＳ２００ではアダプタ制御部４０が、中間アダプタ３０１のアダプタ側絞り連動レバー５３が前述の（図７（ｅ）で既述の）退避位置に存在するか否かを判定する。アダプタ側絞り連動レバー５３が退避位置に存在しない場合にはステップＳ２１０に進み、アダプタ内モーター４４がアダプタ側絞り連動レバー５３を退避位置まで駆動するように、アダプタ制御部４０がアダプタ内モーター制御部４５を制御する。
【００７０】
以上のように、本実施形態の中間アダプタ３０１は、装着されている撮影レンズの種類に応じて、アダプタ側絞り連動レバー５３の振る舞いを変える。つまりアダプタ制御部４０は、中間アダプタ３０１に装着されているレンズが、開放絞り情報を中間アダプタ３０１に送信可能なレンズ（ＣＰＵ内蔵レンズ）であれば、その開放絞り情報に基づいてアダプタ側絞り連動レバー５３を駆動制御する。その一方で、中間アダプタ３０１に装着されているレンズが、開放絞り情報を中間アダプタ３０１に送信不能なレンズ（非ＣＰＵレンズ）であれば、アダプタ側絞り連動レバー５３を退避位置へ駆動制御する。
【００７１】
（電源オフ処理の説明）
図１１は、図６に示すカメラシステムの電源オフ時にＹボディ制御部３０において実行される処理のフローチャートである。ユーザが不図示の電源スイッチをオフすると、図１１に示す処理が実行され、Ｙボディ１０２は電源オン状態から電源オフ状態に移行する。
【００７２】
まずステップＳ３００において、Ｙボディ制御部３０が、ボディ側マウント部８４へのＤレンズ２０４および中間アダプタ３０１の装着の有無を判定する。Ｄレンズ２０４も中間アダプタ３０１も装着されていない場合にはステップＳ３０３に進む。ボディ側マウント部８４にＤレンズ２０４または中間アダプタ３０１が装着されている場合にはステップＳ３０１に進み、ボディ側マウント部８４に装着されているＤレンズ２０４または中間アダプタ３０１に対して、これから電源オフ状態に移行することを示す動作終了コマンドを送信する。Ｄレンズ２０４および中間アダプタ３０１はこの動作終了コマンドを受信すると、電源オフ状態に移行するために必要な終了処理（例えば鏡筒の縮筒や被駆動部材の所定位置への駆動）を行う。
【００７３】
ステップＳ３０２ではＹボディ制御部３０が、パワー系電源をオフし、Ｄレンズ２０４および中間アダプタ３０１に対するパワー系電源の供給を停止する。なお、パワー系電源の供給停止は、Ｄレンズ２０４および中間アダプタ３０１の終了処理が完了してから為される必要がある。従ってＹボディ制御部３０は、例えばボディ側マウント部８４に装着されたＤレンズ２０４および中間アダプタ３０１から終了処理が完了したことを通知するデータを受信する等の方法により、終了処理の完了前にパワー系電源の供給が停止されることのないように構成する必要がある。ステップＳ３０３ではＹボディ制御部３０が、引き続き制御系電源をオフし、Ｄレンズ２０４および中間アダプタ３０１に対する制御系電源の供給を停止する。ステップＳ３０４ではＹボディ制御部３０が所定の電源オフ処理を実行し、カメラシステム全体を電源オン状態から電源オフ状態に移行させる。
【００７４】
図１２は、図６に示すカメラシステムの電源オフ時にアダプタ制御部４０において実行される処理のフローチャートである。まずステップＳ３１０においてアダプタ制御部４０は、Ｙボディ制御部３０から動作終了コマンドを受信したか否かを判定する。アダプタ制御部４０は動作終了コマンドを受信するとステップＳ３１１に進む。ステップＳ３１１では、アダプタ制御部４０が第１マウント部８５に撮影レンズ（Ａタイプ〜Ｃタイプ）が装着されているか否かを判定する。いずれかの撮影レンズが装着されていた場合にはステップＳ３１２に進む。
【００７５】
ステップＳ３１２ではアダプタ制御部４０が、第１マウント部８５に装着されている撮影レンズが制御部（ＣＰＵ）を内蔵しているか否かを判定する。すなわち、第１マウント部８５に（Ａレンズ２０１ではなく）Ｂレンズ２０２またはＣレンズ２０３のいずれかが取り付けられているか否かを判定する。Ｂレンズ２０２またはＣレンズ２０３のいずれかが装着されている場合にはステップＳ３１３に進み、アダプタ側絞り連動レバー５３が退避位置に駆動されるようアダプタ内モーター制御部４５を制御する。アダプタ内モーター制御部４５はこれに応じて、アダプタ側絞り連動レバー５３が退避位置に駆動されるようアダプタ内モーター４４の駆動制御を行う。他方、Ａレンズ２０１が装着されている場合にはステップＳ３１４に進む。ステップＳ３１４ではアダプタ制御部４０がＹボディ１０２からのパワー系電源の受電を終了する。同様にステップＳ３１５ではアダプタ制御部４０がＹボディ１０２からの制御系電源の受電を終了する。
【００７６】
上述した第１の実施の形態によるカメラシステムによれば、次の作用効果が得られる。
（１）中間アダプタ３０１は、Ａレンズ２０１、Ｂレンズ２０２、およびＣレンズ２０３を択一的に着脱可能な第１マウント部８５と、Ｙボディ１０２を着脱可能な第２マウント部８６とを有する。またＡレンズ２０１、Ｂレンズ２０２、およびＣレンズ２０３はそれぞれ、開口径を最大開口径から最小開口径まで変化可能な虹彩絞り１０と、虹彩絞り１０と連動し最大開口径に対応する第１位置と最小開口径に対応する第２位置との間を移動可能で且つ所定の付勢力により第２位置に付勢されているレンズ側絞り連動レバー５１とを有する。中間アダプタ３０１は更に、第１マウント部８５に装着された撮影レンズ内のレンズ側絞り連動レバー５１を、付勢力に抗して第１位置と第２位置との間で移動可能なアダプタ側絞り連動レバー５３を有する。中間アダプタ３０１のアダプタ内モーター制御部４５は、第２マウント部８６に装着されているＹボディ１０２が電源オフ状態のとき、アダプタ側絞り連動レバー５３をレンズ側絞り連動レバー５１に当接しない退避位置に駆動制御する。このように、アダプタ側絞り連動レバー５３に退避位置を設けたので、種々のレンズタイプに適した制御が可能で、特に絞りの連動を行わないタイプのレンズを使用する場合に制御が簡略化できる。
【００７７】
（２）アダプタ内モーター制御部４５は、第２マウント部８６に装着されているＹボディ１０２が電源オフ状態から電源オン状態に移行したときに、第１マウント部８５に装着されている撮影レンズの種類に応じて、アダプタ側絞り連動レバー５３の位置駆動制御を行う。換言すれば、アダプタ内モーター制御部４５は、第１マウント部８５に装着されている撮影レンズの種類によって、アダプタ側絞り連動レバー５３を異なる位置に駆動制御する。このようにしたので、虹彩絞り１０の駆動制御を種々のレンズタイプに適したものとすることができる。
【００７８】
（３）アダプタ内モーター制御部４５は、第２マウント部８６に装着されているＹボディ１０２が電源オフ状態から電源オン状態に移行したときに、第１マウント部８５にＡレンズ２０１が装着されていればアダプタ側絞り連動レバー５３を退避位置に駆動制御し、Ｂレンズ２０２が装着されていればアダプタ側絞り連動レバー５３を第１位置と第２位置との間に位置せしめるよう駆動制御する。このように、開放絞り値情報が得られない撮影レンズが装着された場合にはアダプタ側絞り連動レバー５３が退避位置に位置するようにしたので、絞り制御が簡略化される。
【００７９】
（４）アダプタ制御部４０がＹボディ１０２から絞りを制御するため（すなわち虹彩絞り１０を駆動するため）の絞り制御コマンドを受信すると、アダプタ内モーター制御部４５はその絞り制御コマンドに含まれる絞り値に対応する位置までアダプタ側絞り連動レバー５３を駆動制御する。このようにしたので、中間アダプタ３０１が装着されている場合であってもＹボディ１０２からはＤレンズ２０４と同様の制御を行えばよく、カメラボディ側の制御が簡略化できる。
【００８０】
（５）アダプタ制御部４０は、第１マウント部８５にＢレンズ２０２が装着されており且つアダプタ制御部４０により受信された絞り制御コマンドに絞り値が含まれる場合に、Ｂレンズ２０２から受信した開放絞り値情報に対応する絞り値から絞り制御コマンドに含まれる絞り値までの絞り段数を演算する。アダプタ内モーター制御部４５は、アダプタ制御部４０により演算された上記の絞り段数に対応する距離だけ第１位置から離れた位置にアダプタ側絞り連動レバー５３を駆動制御する。このようにしたので、Ｙボディ１０２の制御内容に変更を加えることなく、Ｘボディ１０１向けの撮影レンズの絞り制御を行うことができる。
【００８１】
（６）アダプタ内モーター制御部４５は、第１マウント部８５にＢレンズ２０２が装着されている場合で、且つ第２マウント部８６に装着されたＹボディ１０２が電源オン状態から電源オフ状態に移行するときに、アダプタ側絞り連動レバー５３を退避位置に駆動制御する。このようにしたので、電源オフ時には撮影レンズの種類に関係なくアダプタ側絞り連動レバー５３が常に退避位置に位置し、絞り制御が簡略化される。
【００８２】
次のような変形も本発明の範囲内であり、変形例の一つ、もしくは複数を上述の実施形態と組み合わせることも可能である。
【００８３】
（変形例１）
撮影レンズ（交換レンズ、レンズ鏡筒）の最小絞り情報を、電気的なデータ通信以外の方法によりＸボディ１０１および中間アダプタ３０１に受け渡してもよい。例えばＸボディ１０１（中間アダプタ３０１）のマウント面近傍に、所定範囲を移動可能なエンコーダを用意し、バネ等により一定方向に付勢しておく。そして撮影レンズには、上記のエンコーダに対応するつまみを設けておき、撮影レンズの取り付け時にこのつまみが上記のエンコーダを付勢されている方向とは逆の方向に移動させるようにする。このつまみの位置を、撮影レンズの最小絞りに応じて異なる位置とすれば、撮影レンズ取り付け時のエンコーダの出力から撮影レンズの最小絞りを判別することが可能となる。すなわち、撮影レンズからＸボディ１０１（中間アダプタ３０１）に、撮影レンズの最小絞り情報が伝達される。なお、中間アダプタ３０１の簡略化のため、このエンコーダをＸボディ１０１にのみ設け、中間アダプタ３０１には設けないようにしてもよい。この場合、中間アダプタ３０１は上記のような撮影レンズを、Ａレンズ２０１のようなＣＰＵ非搭載レンズと同様に制御する。
【００８４】
（変形例２）
撮影レンズとカメラボディの絞り連動機構は、図７に示したものに限定されない。例えば、撮影レンズから突出したツメを回転させることにより虹彩絞り１０の開口径が変化する機構であってもよい。あるいは、撮影レンズ側にスイッチを設け、カメラボディに設けられたピンが当該スイッチを押圧すると、押圧の度合いに応じて虹彩絞り１０の開口径が変化する機構であってもよい。最小絞り連動部１３および最小絞り検知部２３についても同様である。
【００８５】
（変形例３）
レンズ側絞り連動レバー５１の付勢方向が、図７に示した方向とは逆の方向であってもよい。例えば、レンズ側絞り連動レバー５１が開放方向に付勢されていてもよい。この場合には、アダプタ側絞り連動レバー５３における上述の退避位置を、図７（ｅ）に示した絞込み側に設けられている範囲とは反対側の開放側（開放Ｆ値を越えた領域に対応する範囲）に設けるようにすればよい。また、絞り連動レバー５１〜５３の移動可能範囲は、図７に示した直線的なものとは異なっていてもよい。例えば絞り連動レバー５１〜５３が円弧状に移動可能であってもよい。
【００８６】
（変形例４）
撮影レンズ内の記憶部１４に記憶されているレンズデータを、カメラボディから直接読み取ることができるようにしてもよい。つまり、カメラボディがＢレンズ制御部１５ｂやＣレンズ制御部１５ｃとのデータ通信によりレンズデータを得るのではなく、記憶部１４とＸＬタイプ通信接点群１６とを直結してカメラボディが記憶部１４の内容を直接読み取ることができるようにしてもよい。
【００８７】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００８８】
１０…虹彩絞り、１１…操作環、１２…レンズ側絞り連動部、１３…最小絞り連動部、１４…記憶部、１５ｂ…Ｂレンズ制御部、１５ｃ…Ｃレンズ制御部、１５ｄ…Ｄレンズ制御部、１６…ＸＬタイプ通信接点群、１７…ＹＬタイプ通信接点群、１８…レンズ内モーター、１９…レンズ内モーター制御部、２０…Ｘボディ制御部、２２…ボディ側絞り連動部、２３…最小絞り検知部、２４…ボディ内モーター、２５…ボディ内モーター制御部、２６…ＸＢタイプ通信接点群、３０…Ｙボディ制御部、３７…ＹＢタイプ通信接点群、４０…アダプタ制御部、４２…アダプタ側絞り連動部、４４…アダプタ内モーター、４５…アダプタ内モーター制御部、５１…レンズ側絞り連動レバー、５２…ボディ側絞り連動レバー、５３…アダプタ側絞り連動レバー、８１、８３…レンズ側マウント部、８２、８４…ボディ側マウント部、８５…第１マウント部、８６…第２マウント部、１０１…Ｘボディ、１０２…Ｙボディ、２０１…Ａレンズ、２０２…Ｂレンズ、２０３…Ｃレンズ、２０４…Ｄレンズ、３０１…中間アダプタ
【図１】
2013003388.tif 000003
【図２】
2013003388.tif 000004
【図３】
2013003388.tif 000005
【図４】
2013003388.tif 000006
【図５】
2013003388.tif 000007
【図６】
2013003388.tif 000008
【図７】
2013003388.tif 000009
【図８】
2013003388.tif 000010
【図９】
2013003388.tif 000011
【図１０】
2013003388.tif 000012
【図１１】
2013003388.tif 000013
【図１２】
2013003388.tif 000014